(57)【要約】  風向調整装置は、風路内に突出した複数の取付軸を有する基部と、複数の取付軸のそれぞれに回動自在に取り付けられた複数の第１風向調整部材と、複数の第１風向調整部材を連結し、複数の第１風向調整部材を連動して回動させる連結部材と、を備え、連結部材は、当該連結部材から一体化して突出し、複数の第１風向調整部材の風向を手動で調整する操作部を有する。
2019082370.tif 000002
【特許請求の範囲】
【請求項１】
風路内に突出した複数の取付軸を有する基部と、
複数の前記取付軸のそれぞれに回動自在に取り付けられた複数の第１風向調整部材と、
複数の前記第１風向調整部材を連結し、複数の前記第１風向調整部材を連動して回動させる連結部材と、
を備え、
前記連結部材は、当該連結部材から一体化して突出し、複数の前記第１風向調整部材の風向を手動で調整する操作部を有する風向調整装置。
【請求項２】
前記連結部材は、複数の前記取付軸を結ぶ仮想線に対して前記風路の下流側に配置される請求項１に記載の風向調整装置。
【請求項３】
前記連結部材と前記仮想線とは、平行に並ぶ請求項２に記載の風向調整装置。
【請求項４】
前記連結部材に対して前記風路の下流側に配置される防護格子を備え、
前記操作部の先端部は、前記防護格子の１つの格子孔から突出し、前記格子孔内にて左右方向に移動自在に設けられる請求項１〜３のいずれか１項に記載の風向調整装置。
【請求項５】
前記仮想線と前記連結部材と前記防護格子と前記操作部の先端部とは、前記風路の下流に向かって順に並ぶ請求項４に記載の風向調整装置。
【請求項６】
前記操作部は、前記連結部材の長手方向に対して中央部に設けられる請求項１〜５のいずれか１項に記載の風向調整装置。
【請求項７】
前記連結部材は、左右方向に一直線状に並んで１対設けられ、
１対の前記連結部材のそれぞれの前記操作部は、１対の前記連結部材の長手方向に対して中央部に位置する１対の前記連結部材のそれぞれの端部に設けられる請求項１〜５のいずれか１項に記載の風向調整装置。
【請求項８】
２つの前記操作部は、１対の前記連結部材のそれぞれの端部から左右方向に対して傾斜する斜向部を有し、
２つの前記斜向部のそれぞれは、左右方向と直交する反対方向に延伸して形成される請求項７に記載の風向調整装置。
【請求項９】
２つの前記操作部の先端部は、１対の前記連結部材のそれぞれが調整する複数の前記第１風向調整部材の向きが同じ風向で風を吹き出す状態で、左右方向とは直交方向にて重なる請求項８に記載の風向調整装置。
【請求項１０】
２つの前記操作部は、互いに異なる形状である請求項７〜９のいずれか１項に記載の風向調整装置。
【請求項１１】
２つの前記操作部は、互いに異なる三角柱形状である請求項１０に記載の風向調整装置。
【請求項１２】
前記操作部は、前記風路の吹き出し方向に沿った操作面を有する請求項１〜１１のいずれか１項に記載の風向調整装置。
【請求項１３】
前記操作部に対して前記風路の下流側に配置され、複数の前記第１風向調整部材が風向を調整する第１方向とは直交する第２方向に風向を調整する第２風向調整部材を備える請求項１〜１２のいずれか１項に記載の風向調整装置。
【請求項１４】
請求項１〜１３のいずれか１項に記載の風向調整装置を備える送風装置。
【発明の詳細な説明】
【技術分野】
【０００１】
本発明は、複数の取付軸のそれぞれに回動自在に取り付けられた複数の左右風向調整部材と、複数の左右風向調整部材を連結し、複数の左右風向調整部材を連動して回動させる連結部材と、を備える風向調整装置及び送風装置に関する。
【背景技術】
【０００２】
従来の左右風向調整手動型の空気調和装置では、搭載される風向調整装置は、基部と風向調整部材と連結部材と手動可能な操作部とを備えていた。そして、使用者が風向調整部材に取り付けられた操作部を操作することにより、風向調整部材の板状の羽根の向きが変更され、吹出す調和空気の風向が調整できた（たとえば、特許文献１参照）。
【先行技術文献】
【特許文献】
【０００３】
【特許文献１】特開２０１５−２１８９９６号公報
【発明の概要】
【発明が解決しようとする課題】
【０００４】
特許文献１の技術では、風路壁面と操作部とが近接しているため、使用者が操作部を掴み難いことにより操作部を操作し難かった。【０００５】
また、操作部の設置のために、左右風向調整部材に更に手動操作部材を一部品追加する必要があり、コストが増加するとともに、組立手順が煩雑になっていた。【０００６】
本発明は、上記課題を解決するためのものであり、操作性の向上、コストの削減及び組立手順の簡略化が図れる風向調整装置及び送風装置を提供することを目的とする。
【課題を解決するための手段】
【０００７】
本発明に係る風向調整装置は、風路内に突出した複数の取付軸を有する基部と、複数の前記取付軸のそれぞれに回動自在に取り付けられた複数の第１風向調整部材と、複数の前記第１風向調整部材を連結し、複数の前記第１風向調整部材を連動して回動させる連結部材と、を備え、前記連結部材は、当該連結部材から一体化して突出し、複数の前記第１風向調整部材の風向を手動で調整する操作部を有するものである。【０００８】
本発明に係る送風装置は、上記の風向調整装置を備えるものである。
【発明の効果】
【０００９】
本発明に係る風向調整装置及び送風装置によれば、連結部材は、当該連結部材から一体化して突出し、複数の第１風向調整部材の風向を手動で調整する操作部を有する。したがって、操作性の向上、コストの削減及び組立手順の簡略化が図れる。
【図面の簡単な説明】
【００１０】
【図１】本発明の実施の形態１に係る空気調和装置を示す概略構成図である。
【図２】本発明の実施の形態１に係る壁掛け型の室内機を示す斜視図である。
【図３】本発明の実施の形態１に係る内部を開放した壁掛け型の室内機を示す斜視図である。
【図４】本発明の実施の形態１に係る壁掛け型の室内機を示す縦断面図である。
【図５】本発明の実施の形態１に係る風向調整装置を拡大して示す斜視図である。
【図６】本発明の実施の形態１に係る右連結部材を示す斜視図である。
【図７】本発明の実施の形態１に係る左連結部材を示す斜視図である。
【図８】本発明の実施の形態１に係る防護格子の格子孔と操作部の先端部との関係を示す対比図である。
【図９】本発明の実施の形態１に係る基部に左右風向調整部材を取り付ける工程を示す模式図である。
【図１０】本発明の実施の形態１に係る左右風向調整部材に右連結部材を取り付ける工程を示す模式図である。
【図１１】本発明の実施の形態１に係る右連結部材まで組み立てられた風向調整装置の一部を示す模式図である。
【図１２】本発明の実施の形態２に係る風向調整装置を拡大して示す斜視図である。
【図１３】本発明の実施の形態２に係る右連結部材を示す斜視図である。
【図１４】本発明の実施の形態２に係る左連結部材を示す斜視図である。
【図１５】本発明の実施の形態２に係る１対の右連結部材及び左連結部材を示す正面図である。
【図１６】本発明の実施の形態２に係る１対の右連結部材及び左連結部材を同時に右側に動かした状態を示す正面図である。
【図１７】本発明の実施の形態２に係る１対の右連結部材及び左連結部材を同時に右側に動かすために２つの操作部の先端部を右手で同時に操作する状態を示す正面図である。
【図１８】本発明の実施の形態２に係る右連結部材だけを左側に動かした状態を示す正面図である。
【図１９】本発明の実施の形態２に係る右連結部材だけを左側に動かすために１つの操作部の先端部を右手で操作する状態を示す正面図である。
【図２０】本発明の実施の形態２に係る左連結部材だけを右側に動かした状態を示す正面図である。
【図２１】本発明の実施の形態２に係る左連結部材だけを右側に動かすために１つの操作部の先端部を右手で操作する状態を示す正面図である。
【図２２】本発明の実施の形態２に係る１対の右連結部材及び左連結部材の風向を正面中央に集中させた状態を示す正面図である。
【発明を実施するための形態】
【００１１】
以下、図面に基づいて本発明の実施の形態について説明する。なお、各図において、同一の符号を付したものは、同一の又はこれに相当するものであり、これは明細書の全文において共通している。さらに、明細書全文に示す構成要素の形態は、あくまで例示であってこれらの記載に限定されるものではない。
【００１２】
実施の形態１．
＜空気調和装置の構成＞
図１は、本発明の実施の形態１に係る空気調和装置１００を示す概略構成図である。空気調和装置１００は、冷凍サイクル装置の一例として示されている。図１に示す空気調和装置１００は、室外機１０１と、室内機１０２と、を備える。空気調和装置１００の室内機１０２は、本発明の送風装置に相当する。室内機１０２は、後述するように壁掛け型室内機である。
【００１３】
空気調和装置１００は、室外機１０１と室内機１０２とをガス冷媒配管１０３及び液冷媒配管１０４により接続されている。
【００１４】
室外機１０１は、圧縮機１０５、四方弁１０６、室外熱交換器１０７、膨張弁１０８などを有する。
【００１５】
圧縮機１０５は、吸入した冷媒を圧縮して吐出する。ここで、圧縮機１０５は、たとえばインバータ回路などを用いて運転周波数を任意に変化させることにより、圧縮機１０５での単位時間あたりの冷媒を送り出す量を変化させられるものでもよい。
【００１６】
四方弁１０６は、たとえば、冷房運転時と暖房運転時とによって冷媒の流れを切り換える。
【００１７】
室外熱交換器１０７は、冷媒と室外空気との熱交換を行う。室外熱交換器１０７は、たとえば、冷房運転時において凝縮器として機能し、冷媒を凝縮して液化させる。また、室外熱交換器１０７は、暖房運転時において蒸発器として機能し、冷媒を蒸発させ、気化させる。
【００１８】
絞り装置などの膨張弁１０８は、冷媒を減圧して膨張させる。膨張弁１０８は、たとえば、電子式膨張弁などによって構成された場合には、図示しない制御装置の指示に基づいて開度調整を行う。
【００１９】
室内機１０２は、室内熱交換器１０９と、後述するクロスフローファンと、を有する。
【００２０】
室内熱交換器１０９は、たとえば、空調対象となる空気と冷媒との熱交換を行う。室内熱交換器１０９は、冷房運転時において蒸発器として機能し、冷媒を蒸発させて気化させる。また、室内熱交換器１０９は、暖房運転時において凝縮器として機能し、冷媒を凝縮して液化させる。
【００２１】
空気調和装置１００は、以上のように構成され、室外機１０１の四方弁１０６を用いて冷媒の流れを切り換えることにより、冷房運転又は暖房運転を切り換えて実施できる。
【００２２】
＜空気調和装置１００の室内機１０２の構成＞
図２は、本発明の実施の形態１に係る壁掛け型の室内機１０２を示す斜視図である。図３は、本発明の実施の形態１に係る内部を開放した壁掛け型の室内機１０２を示す斜視図である。図４は、本発明の実施の形態１に係る壁掛け型の室内機１０２を示す縦断面図である。
【００２３】
図２、図３に示すように、室内機１０２は、グリル１、前面筐体２、背面筐体３、及び、２つの上下風向調整部材によって、外観の意匠面部を形成している。２つの上下風向調整部材は、風向調整装置１０の一部であり、本発明の第２風向調整部材に相当する。
【００２４】
図４に示すように、室内機１０２は、壁などに固定された据付部材４に背面筐体３を取り付けることにより、壁掛けされる。前面筐体２は、背面筐体３に図示しない複数の爪部を引っ掛けて取り付けられる。
【００２５】
図３に示すように、グリル１は、前面筐体２の前面に内部を開放できるように回動自在に設けられる。室内機１０２は、グリル１を開けた状態で外部から視認可能な塵埃を回収するフィルター５を有する。フィルター５は、取外し自在である。
【００２６】
背面筐体３には、右角部材３ａ及び左角部材３ｂが設けられる。背面筐体３は、外観からは目視できないように意匠面部ではない図示しない裏面に形成された印部に沿って孔を貫通させることにより、孔を介して室内機１０２に室外機１０１からの図示しない配管が通される。
【００２７】
図３、図４に示すように、前面筐体２と背面筐体３との間に形成された開口部に吹出し口６が形成されている。吹出し口６は、室内熱交換器１０９で熱交換された調和空気となった風を吹出させる。室内機１０２は、吹出し口６の周囲にて前面筐体２とは別部品で奥側にノズル７が形成され、内部から吹出し口６に通じる風路が形成されている。室内機１０２は、ノズル７の形成したドレンパン部７ｃにて室内熱交換器１０９の周囲から発生する露を回収する。室内機１０２は、吹出し口６近傍の風路に、風向調整装置１０を備える。
【００２８】
図２〜図４に示すように、風向調整装置１０は、後述する操作部に対して風路の下流側に、２つの上下風向調整部材１１ａ、１１ｂを配置している。２つの上下風向調整部材１１ａ、１１ｂは、前後にそれぞれ分離して回動自在である。２つの上下風向調整部材１１ａ、１１ｂは、閉じられたときに室内機１０２の意匠面部の一部を構成する。２つの上下風向調整部材１１ａ、１１ｂは、当該２つの上下風向調整部材１１ａ、１１ｂの内側に配置された複数の左右風向調整部材１２が風向を調整する第１方向である左右方向とは直交する第２方向である上下方向に風向を調整する。
【００２９】
＜空気調和装置１００の室内機１０２の動作＞
図４に示すように、室内機１０２では、空調対象の空気がクロスフローファン８により吸込み口９から室内機１０２の内部に吸込まれ、フィルター５を通る。フィルター５を通った空気は、室内熱交換器１０９を通過する間に当該室内熱交換器１０９を流通する冷媒と熱交換されて調和空気となる。調和空気は、吹出し口６より吹出される。室内機１０２での空気の流れは、図４の図示矢印のとおりである。
【００３０】
＜風向調整装置１０の構成＞
図５は、本発明の実施の形態１に係る風向調整装置１０を拡大して示す斜視図である。図５に示すように、風向調整装置１０は、図示しない２つの上下風向調整部材１１ａ、１１ｂの内側である室内機１０２の内部に、１つの基部１３、２群の複数の左右風向調整部材１２、２つの連結部材１４ａ、１４ｂ、及び、１つの防護格子１５を備える。
【００３１】
基部１３は、前面筐体２のノズル７の風路側に設けられる。基部１３は、風路面から風路内に突出した複数の取付軸１３ａを有する。複数の取付軸１３ａは、斜め下に向かう風路に対して直交する左右方向に点在する。複数の取付軸１３ａは、点在方向に結ばれると左右方向に延びる仮想線を形成する。
【００３２】
２群の複数の左右風向調整部材１２は、複数の取付軸１３ａのそれぞれに回動自在に取り付けられる。２群の複数の左右風向調整部材１２は、１群ごとに熱交換された調和空気の風向が左右方向に調整可能である。
【００３３】
２つの連結部材１４ａ、１４ｂは、室内機１０２の左右方向に一直線状に並ぶ１対の右連結部材１４ａ及び左連結部材１４ｂに設けられる。右連結部材１４ａは、右側の１群の複数の左右風向調整部材１２それぞれに連結され、右側の１群の複数の左右風向調整部材１２を連動して回動させる。左連結部材１４ｂは、左側の１群の複数の左右風向調整部材１２それぞれに連結され、左側の１群の複数の左右風向調整部材１２を連動して回動させる。１対の右連結部材１４ａ及び左連結部材１４ｂは、複数の取付軸１３ａを結ぶ仮想線に対して風路の下流側に配置される。１対の右連結部材１４ａ及び左連結部材１４ｂと仮想線とは、平行に並ぶ。
【００３４】
防護格子１５は、連結部材１４ａ、１４ｂに対して風路の下流側に配置される。防護格子１５は、縦横に延びる棒状部材で格子を構成する。防護格子１５は、人の指が室内機１０２の内部の奥に配置されたクロスフローファン８に触れることを防止する。防護格子１５は、基部１３に設けられた固定爪１３ｂと、ノズル７が形成する左右の風路面に設けられた突起７aと、ノズル７が形成する防護格子１５を支える引っ掛け部７ｂと、に引っ掛けられて固定される。
【００３５】
＜１対の右連結部材１４ａ及び左連結部材１４ｂの構成＞
図６は、本発明の実施の形態１に係る右連結部材１４ａを示す斜視図である。図７は、本発明の実施の形態１に係る左連結部材１４ｂを示す斜視図である。
【００３６】
図６、図７に示すように、１対の右連結部材１４ａ及び左連結部材１４ｂは、室内機１０２の左右方向に一直線状な棒状部材である。１対の右連結部材１４ａ及び左連結部材１４ｂには、各１群の複数の左右風向調整部材１２を取り付ける係合孔１６が形成されている。係合孔１６は、中心に左右風向調整部材１２の突起１２ａに回動自在に連結される周囲の間隙よりも大きな中心円孔を有する。係合孔１６には、中心円孔の左右に左右風向調整部材１２の突起１２ａに差し込まれる際に、１対の右連結部材１４ａ及び左連結部材１４ｂを変形させる間隙が形成されている。
【００３７】
１対の右連結部材１４ａ及び左連結部材１４ｂのそれぞれは、各連結部材１４ａ、１４ｂから一体化して突出し、各１群の複数の左右風向調整部材１２の風向を手動で調整する操作部１７を有する。操作部１７は、先端部１７ａを斜め下方向に向ける。操作部１７は、各連結部材１４ａ、１４ｂの左右の長手方向に対して中央部に設けられる。
【００３８】
操作部１７の先端部１７ａは、斜め下方向に向けられているので、操作部１７が掴み易く、操作性が向上する。また、風向調整装置１０の組立の際に、１対の右連結部材１４ａ及び左連結部材１４ｂの少なくとも一方の上下を逆に組み立てると、操作部１７が基部１３に接触して取り付けられない。このため、１対の右連結部材１４ａ及び左連結部材１４ｂの双方が正しく取り付けられ、誤組立が防止される。
【００３９】
図６に示すように、右連結部材１４ａの操作部１７は、右連結部材１４ａが係合孔１６を偶数個有するので、中央部における２つの係合孔１６の間である右連結部材１４ａの中央に設けられる。
【００４０】
図７に示すように、左連結部材１４ｂの操作部１７は、左連結部材１４ｂが係合孔１６を奇数個有するので、中央部における２つの係合孔１６の間である左連結部材１４ｂの左寄りに設けられる。
【００４１】
このように、操作部１７が各連結部材１４ａ、１４ｂの左右の長手方向に対して中央部に設けられることにより、操作部１７の操作時に各連結部材１４ａ、１４ｂの全体にバランス良く力が伝達される。
【００４２】
図５に示すように、操作部１７の先端部１７ａは、防護格子１５の１つの格子孔１５ａから突出し、格子孔１５ａ内にて左右方向に移動自在に設けられている。操作部１７は、風路壁面に近接しない。操作部１７は、防護格子１５の格子孔１５ａを通過して吹出し方向である斜め下方向に向けて突出する。
【００４３】
＜防護格子１５の格子孔１５ａと操作部１７の先端部１７ａとの関係＞
図８は、本発明の実施の形態１に係る防護格子１５の格子孔１５ａと操作部１７の先端部１７ａとの関係を示す対比図である。なお、本関係については、１対の右連結部材１４ａ及び左連結部材１４ｂのそれぞれの操作部１７が同一形状であるため、右連結部材１４ａの操作部１７について説明を行う。左連結部材１４ｂの操作部１７についての説明を省略する。
【００４４】
図８に示すように、操作部１７は、断面Ｕ字状である。つまり、操作部１７は、左右方向に沿った基準面部１７ｂと、基準面部１７ｂの両端側から上側に延設された２つの操作面部１７ｃ、１７ｄと、を有する。２つの操作面部１７ｃ、１７ｄには、風路の吹き出し方向に沿った操作面１７ｃ１、１７ｄ１が設けられる。２つの操作面１７ｃ１、１７ｄ１が設けられることにより、操作部１７を厚肉にすることなく力を加える操作面１７ｃ１、１７ｄ１が広く確保でき、かつ、操作部１７の強度が向上できる。
【００４５】
断面Ｕ字状の操作部１７は、防護格子１５の格子孔１５ａの矩形形状を左右方向にゆとりをもってほぼ等しく小さくした断面形状である。このため、操作された操作部１７が左右方向に移動しても、操作部１７が防護格子１５に接触することがない。それにより、接触による磨耗あるいは異音が防がれる。
【００４６】
＜風向調整装置１０の組立工程＞
図９は、本発明の実施の形態１に係る基部１３に左右風向調整部材１２を取り付ける工程を示す模式図である。図１０は、本発明の実施の形態１に係る左右風向調整部材１２に右連結部材１４ａを取り付ける工程を示す模式図である。図１１は、本発明の実施の形態１に係る右連結部材１４ａまで組み立てられた風向調整装置１０の一部を示す模式図である。なお、本関係については、１対の右連結部材１４ａ及び左連結部材１４ｂのそれぞれの組立工程が同一であるため、右連結部材１４ａの組立工程について説明を行う。左連結部材１４ｂの組立工程についての説明を省略する。
【００４７】
まず、図９に示すように、基部１３から風路に突出した複数の取付軸１３ａのそれぞれに、各左右風向調整部材１２を取り付ける。具体的には、左右風向調整部材１２の取付穴１２ｂに取付軸１３ａを挿入し、左右風向調整部材１２を取付軸１３ａに取り付ける。複数の左右風向調整部材１２の全てが複数の取付軸１３ａのそれぞれに取り付けられる。
【００４８】
次に、図１０に示すように、取付軸１３ａに取り付けられた左右風向調整部材１２に右連結部材１４ａを取り付ける。具体的には、左右風向調整部材１２の突起１２ａに右連結部材１４ａの係合孔１６を通して突起１２ａを係合孔１６の中心孔に回動自在に係合させる。
【００４９】
そして、図１１に示すように、１対の右連結部材１４ａ及び左連結部材１４ｂの双方における複数の係合孔１６の全てが複数の左右風向調整部材１２の突起１２ａそれぞれに係合させられる。
【００５０】
その後、図５に示すように、防護格子１５が、基部１３に設けられた固定爪１３ｂと、ノズル７が形成する左右の風路面に設けられた突起７ａと、ノズル７が形成する防護格子１５を支える引っ掛け部７ｂと、に引っ掛けられて固定される。このとき、２つの格子孔１５ａから１対の右連結部材１４ａ及び左連結部材１４ｂの双方に設けられた操作部１７の先端部１７ａのそれぞれを突出させる。これにより、取付軸１３ａの仮想線と連結部材１４ａ、１４ｂと防護格子１５と操作部１７の先端部１７ａとは、風路の下流に向かって、仮想線、連結部材１４ａ、１４ｂ、防護格子１５、操作部１７の先端部１７ａの順に並ぶ。
【００５１】
＜風向調整装置１０の動作＞
使用者が操作部１７の左右の操作面１７ｃ１、１７ｄ１のいずれかに操作方向である左右いずれかの方向の力を加えることにより、操作された操作部１７の設けられた連結部材１４ａ、１４ｂが左右いずれかに動作する。この連結部材１４ａ、１４ｂの直線運動が連結された１群の複数の左右風向調整部材１２の回動運動に変換される。すなわち、１群の複数の左右風向調整部材１２が一緒に板状の羽根の角度を変え、風向が調整できる。
【００５２】
＜実施の形態１の効果＞
実施の形態１によれば、風向調整装置１０は、風路内に突出した複数の取付軸１３ａを有する基部１３を備える。風向調整装置１０は、複数の取付軸１３ａのそれぞれに回動自在に取り付けられた複数の第１風向調整部材としての左右風向調整部材１２を備える。風向調整装置１０は、複数の左右風向調整部材１２を連結し、複数の左右風向調整部材１２を連動して回動させる連結部材１４ａ、１４ｂを備える。連結部材１４ａ、１４ｂは、連結部材１４ａ、１４ｂから一体化して突出し、複数の左右風向調整部材１２の風向を手動で調整する操作部１７を有する。
【００５３】
この構成によれば、連結部材１４ａ、１４ｂが突出する操作部１７を一体化して有するので、操作部１７が風路壁面から離間し、使用者が操作部１７を掴み易く、操作部１７が操作し易い。また、連結部材１４ａ、１４ｂが操作部１７を一体化して有するので、他の部品の追加が必要なく、コストが低減するとともに組立手順が簡易になる。したがって、操作性の向上、コストの削減及び組立手順の簡略化が図れる。
【００５４】
実施の形態１によれば、連結部材１４ａ、１４ｂは、複数の取付軸１３ａを結ぶ仮想線に対して風路の下流側に配置される。
【００５５】
この構成によれば、連結部材１４ａ、１４ｂが風路のより下流側に配置され、連結部材１４ａ、１４ｂに一体化して突出する操作部１７が吹出し口６近傍の使用者のより手の届き易い位置に配置できる。このため、使用者が操作部１７を掴み易く、操作部１７が操作し易い。また、連結部材１４ａ、１４ｂが複数の取付軸１３ａを結ぶ仮想線に対して風路の下流側に配置されるので、操作部１７と連結部材１４ａ、１４ｂとが接近する。そして、操作部１７を操作する力が連結部材１４ａ、１４ｂを移動させて複数の取付軸１３ａに取り付けられる複数の左右風向調整部材１２を回動させる。つまり、操作部１７を力点とし、複数の取付軸１３ａを回動支点とし、連結部材１４ａ、１４ｂに連結された左右風向調整部材１２の連結部分である突起１２ａを作用点とする、第２種のてこの原理が働き、操作部１７の操作の力が左右風向調整部材１２に伝達され易い。したがって、使用者が操作部１７をより操作し易い。
【００５６】
実施の形態１によれば、連結部材１４ａ、１４ｂと仮想線とは、平行に並ぶ。
【００５７】
この構成によれば、第２種のてこの原理を利用して操作の力が働き易く、使用者が操作部１７をより操作し易い。
【００５８】
実施の形態１によれば、風向調整装置１０は、連結部材１４ａ、１４ｂに対して風路の下流側に配置される防護格子１５を備える。操作部１７の先端部１７ａは、防護格子１５の１つの格子孔１５ａから突出し、格子孔１５ａ内にて左右方向に移動自在に設けられている。
【００５９】
この構成によれば、操作部１７の先端部１７ａが防護格子１５の１つの格子孔１５ａから突出し、使用者が操作部１７をより操作し易い。また、操作部１７の先端部１７ａが格子孔１５ａ内にて左右方向に移動自在に突出するので、操作部１７が防護格子１５あるいは周辺部品と接触せず、接触による磨耗あるいは異音が防がれる。さらに、防護格子１５によって使用者が誤って風路の上流側である吹出し口６の奥に手を入れることが防止される。
【００６０】
実施の形態１によれば、仮想線と連結部材１４ａ、１４ｂと防護格子１５と操作部１７の先端部１７ａとは、風路の下流に向かって順に並ぶ。
【００６１】
この構成によれば、操作部１７の先端部１７ａを力点とし、複数の取付軸１３ａを回動支点とし、連結部材１４ａ、１４ｂに連結された左右風向調整部材１２の連結部分である突起１２ａを作用点とする、第２種のてこの原理が働き、操作部１７の操作の力が左右風向調整部材１２に伝達され易い。また、操作部１７の先端部１７ａが防護格子１５の１つの格子孔１５ａから突出する。これらにより、使用者が操作部１７をより操作し易い。さらに、防護格子１５によって使用者が誤って風路の上流側である吹出し口６の奥に手を入れることが防止される。
【００６２】
実施の形態１によれば、操作部１７は、連結部材１４ａ、１４ｂの左右の長手方向に対して中央部に設けられる。
【００６３】
この構成によれば、操作時にバランス良く力の伝達ができ、操作部１７に付与された力が連結部材１４ａ、１４ｂの全体に伝達し易く、使用者が操作部１７をより操作し易い。
【００６４】
実施の形態１によれば、操作部１７は、風路の吹き出し方向に沿った操作面１７ｃ１、１７ｄ１を有する。
【００６５】
この構成によれば、使用者が操作面１７ｃ１、１７ｄ１に指をあてがえ、操作部１７に力を伝達し易く、使用者が操作部１７をより操作し易い。
【００６６】
実施の形態１によれば、風向調整装置１０は、操作部１７に対して風路の下流側に配置され、複数の左右風向調整部材１２が風向を調整する第１方向である左右方向とは直交する第２方向である上下方向に風向を調整する第２風向調整部材としての上下風向調整部材１１ａ、１１ｂを備える。
【００６７】
この構成によれば、風向調整装置１０は、複数の左右風向調整部材１２によって左右方向に風向を変更できるとともに、上下風向調整部材１１ａ、１１ｂによって左右方向とは直交する第２方向である上下方向にも風向を変更できる。
【００６８】
実施の形態１によれば、送風装置としての空気調和装置１００の室内機１０２は、風向調整装置１０を備える。
【００６９】
この構成によれば、連結部材１４ａ、１４ｂは、複数の左右風向調整部材１２の風向を手動で調整する突出した操作部１７を一体化して有する。したがって、操作性の向上、コストの削減及び組立手順の簡略化が図れる。
【００７０】
実施の形態２．
＜風向調整装置１０の構成＞
図１２は、本発明の実施の形態２に係る風向調整装置１０を拡大して示す斜視図である。図１３は、本発明の実施の形態２に係る右連結部材１４ａを示す斜視図である。図１４は、本発明の実施の形態２に係る左連結部材１４ｂを示す斜視図である。図１５は、本発明の実施の形態２に係る１対の右連結部材１４ａ及び左連結部材１４ｂを示す正面図である。実施の形態２では、実施の形態１で説明した同一の事項を省略し、その特徴部分を説明する。
【００７１】
図１２に示すように、右連結部材１４ａ及び左連結部材１４ｂは、室内機１０２の左右方向に一直線状に並んで１対設けられる。
【００７２】
図１２〜図１５に示すように、１対の右連結部材１４ａ及び左連結部材１４ｂのそれぞれの操作部１７は、１対の連結部材１４ａ、１４ｂの長手方向に対して中央部に位置する１対の右連結部材１４ａ及び左連結部材１４ｂのそれぞれの端部１４ａ１、１４ｂ１に設けられる。すなわち、２つの操作部１７は、風路中央側に位置する。
【００７３】
２つの操作部１７は、１対の右連結部材１４ａ又は左連結部材１４ｂのそれぞれの端部１４ａ１、１４ｂ１から左右方向に対して任意の角度で傾斜する斜向部１７ｅ、１７ｆを有する。２つの操作部１７の先端部１７ａは、１対の連結部材１４ａ、１４ｂのそれぞれが調整する複数の左右風向調整部材１２の向きが同じ風向で風を吹き出す状態で、左右方向とは直交方向である上下方向にて重なる。２つの操作部１７が室内機１０２の左右方向において中央部に位置することにより、使用者が２つの操作部１７を同時に掴んで操作でき、操作性が向上する。
【００７４】
図１３〜図１５に示すように、２つの斜向部１７ｅ、１７ｆのそれぞれは、１対の右連結部材１４ａ及び左連結部材１４ｂが一直線状に並んだ基準線から左右方向と直交する反対方向に延伸して形成され、上下方向にずれる。
【００７５】
図１３に示すように、右連結部材１４ａの斜向部１７ｅは、右連結部材１４ａの左側端部１４ａ１から下斜め方向に斜向し、操作部１７の先端部１７ａを基準線よりも下側に位置させる。斜向部１７ｅは、先端部１７ａをたわみ難く操作時に折れることを防止するように前後方向に１対板面を立てている。このため、１対の斜向部１７ｅの間には、右連結部材１４ａの長手方向に延びる矩形形状の空間１７ｇが形成されている。
【００７６】
図１４に示すように、左連結部材１４ｂの斜向部１７ｆは、左連結部材１４ｂの右側端部１４ｂ１から上斜め方向に斜向し、操作部１７の先端部１７ａを基準線よりも上側に位置させる。斜向部１７ｆは、先端部１７ａをたわみ難く操作時に折れることを防止するように前後方向に１対板面を立てている。このため、１対の斜向部１７ｆの間には、左連結部材１４ｂの長手方向に延びる矩形形状の空間１７ｇが形成されている。
【００７７】
図１５に示すように、左連結部材１４ｂの斜向部１７ｆは、右連結部材１４ａの斜向部１７ｅよりも長さが短い。２つの斜向部１７ｅ、１７ｆの長さが異なる理由は、２つの操作部１７の先端部１７ａが防護格子１５に接触せずに突出させるためである。２つの斜向部１７ｅ、１７ｆの長さは、操作部１７の先端部１７ａを防護格子１５の格子孔１５ａと接触しないように原則として格子孔１５ａの高さＨの中間、かつ、格子孔１５ａの幅Ｌの中間に位置させる設定で定められる。
【００７８】
２つの操作部１７の先端部１７ａのそれぞれは、各斜向部１７ｅ、１７ｆから室内機１０２の正面側に向けて斜向部１７ｅ、１７ｆの端部から直交方向である室内機１０２の正面側に突出する。２つの操作部１７の先端部１７ａのそれぞれは、防護格子１５の上下の異なる格子孔１５ａから三角柱状の腕部１７ｈ、１７ｉを突出させる。２つの突出した操作部１７の先端部１７ａには、格子孔１５ａを通過する腕部１７ｈ、１７ｉよりも三角面の大きい三角柱である操作端部１７ｊ、１７ｋが任意の長さまでそれぞれ設けられる。
【００７９】
なお、実施の形態２では、操作部１７の先端部１７ａは、三角柱の形状に設けられる。しかし、これに限られない。２つの操作部１７の先端部１７ａの断面三角形状の寸法関係は、特に限定されるものではない。２つの操作部１７は、特に先端部１７ａが互いに異なる形状であってもよい。２つの操作部１７の先端部１７ａが互いに異なる形状であると、風路の中央部に左右の２つの操作部１７が設けられても、双方の操作部１７が左右どちら側の風路を調整するものなのか使用者が認識できる。より好ましくは、操作時に左右の２つの操作部１７が格子孔１５ａ及び周辺部品と接触がない形状であるとよい。
【００８０】
また、２つの操作部１７の先端部１７ａの断面形状がそれぞれの１対の右連結部材１４ａ又は左連結部材１４ｂが形成されている方に角を持つ三角形とすることもできる。これにより、風路中央部に左右の２つの操作部１７が設けられても、２つの操作部１７が左右どちらの１対の右連結部材１４ａ又は左連結部材１４ｂに属するものなのか使用者が分かり易い。
【００８１】
＜１対の右連結部材１４ａ及び左連結部材１４ｂを同時に動かす場合＞
図１６は、本発明の実施の形態２に係る１対の右連結部材１４ａ及び左連結部材１４ｂを同時に右側に動かした状態を示す正面図である。図１７は、本発明の実施の形態２に係る１対の右連結部材１４ａ及び左連結部材１４ｂを同時に右側に動かすために２つの操作部１７の先端部１７ａを右手で同時に操作する状態を示す正面図である。図１６、図１７では、破線部分が移動前の状態を示し、実線部分が移動後の状態を示す。
【００８２】
図１６、図１７に示すように、２つの操作部１７の先端部１７ａは、１対の右連結部材１４ａ及び左連結部材１４ｂのそれぞれが調整する１群の複数の左右風向調整部材１２が同じ風向で風を吹き出す状態で、左右方向とは直交方向である上下方向にて重なる。
【００８３】
図１７に示すように、使用者は、２つの操作部１７の先端部１７ａを同時に掴み、１対の右連結部材１４ａ及び左連結部材１４ｂを同時に右側に動かせる。
【００８４】
＜右連結部材１４ａだけを左側に動かす場合＞
図１８は、本発明の実施の形態２に係る右連結部材１４ａだけを左側に動かした状態を示す正面図である。図１９は、本発明の実施の形態２に係る右連結部材１４ａだけを左側に動かすために１つの操作部１７の先端部１７ａを右手で操作する状態を示す正面図である。図１８、図１９では、破線部分が移動前の状態を示し、実線部分が移動後の状態を示す。
【００８５】
図１８、図１９に示すように、使用者は、右連結部材１４ａの操作部１７の先端部１７ａだけを掴み、右連結部材１４ａだけを左側に動かせる。このとき、１対の右連結部材１４ａ及び左連結部材１４ｂは、一直線状に配置されているため、左連結部材１４ｂが上側にたわむ。また、右連結部材１４ａだけを左側に動かすと、２つの斜向部１７ｅ、１７ｆが接触するが、２つの斜向部１７ｅ、１７ｆが斜めに並列しているため、左連結部材１４ｂの斜向部１７ｆがたわんで使用者の動かす右連結部材１４ａの案内の役割を果たす。
【００８６】
＜左連結部材１４ｂだけを右側に動かす場合＞
図２０は、本発明の実施の形態２に係る左連結部材１４ｂだけを右側に動かした状態を示す正面図である。図２１は、本発明の実施の形態２に係る左連結部材１４ｂだけを右側に動かすために１つの操作部１７の先端部１７ａを右手で操作する状態を示す正面図である。図２０、図２１では、破線部分が移動前の状態を示し、実線部分が移動後の状態を示す。
【００８７】
図２０、図２１に示すように、使用者は、左連結部材１４ｂの操作部１７の先端部１７ａだけを掴み、左連結部材１４ｂだけを右側に動かせる。このとき、１対の右連結部材１４ａ及び左連結部材１４ｂは、一直線状に配置されているため、右連結部材１４ａが下側にたわむ。また、左連結部材１４ｂだけを右側に動かすと、２つの斜向部１７ｅ、１７ｆが接触するが、２つの斜向部１７ｅ、１７ｆが斜めに並列しているため、右連結部材１４ａの斜向部１７ｅがたわんで使用者の動かす左連結部材１４ｂの案内の役割を果たす。
【００８８】
＜１対の右連結部材１４ａ及び左連結部材１４ｂの風向を正面中央に集中させる場合＞
図２２は、本発明の実施の形態２に係る１対の右連結部材１４ａ及び左連結部材１４ｂの風向を正面中央に集中させた状態を示す正面図である。図２２に示すように、使用者が１対の右連結部材１４ａ及び左連結部材１４ｂの風向を正面中央に集中させたい場合には、右連結部材１４ａを左側に動かすとともに、左連結部材１４ｂを右側に動かす。これにより、室内機１０２から吹出す調和空気は、室内機１０２の正面中央に集中する。
【００８９】
＜実施の形態２の効果＞
実施の形態２によれば、連結部材１４ａ、１４ｂは、室内機１０２の左右方向に一直線状に並んで１対設けられる。１対の連結部材１４ａ、１４ｂのそれぞれの操作部１７は、１対の連結部材１４ａ、１４ｂの長手方向に対して中央部に位置する１対の連結部材１４ａ、１４ｂのそれぞれの端部１４ａ１、１４ｂ１に設けられる。
【００９０】
この構成によれば、使用者が２つの操作部１７を同時に掴んで操作でき、使用者が２つの操作部１７をより操作し易い。
【００９１】
実施の形態２によれば、２つの操作部１７は、１対の連結部材１４ａ、１４ｂのそれぞれの端部１４ａ１、１４ｂ１から左右方向に対して傾斜する斜向部１７ｅ、１７ｆを有する。２つの斜向部１７ｅ、１７ｆのそれぞれは、左右方向と直交する反対方向である上下方向に延伸して形成されている。
【００９２】
この構成によれば、２つの操作部１７が２つの斜向部１７ｅ、１７ｆによって互いに逆の左右方向と直交する反対方向である上下方向にずれるので、使用者が２つの操作部１７を同時により掴み易い。
【００９３】
実施の形態２によれば、２つの操作部１７の先端部１７ａは、１対の連結部材１４ａ、１４ｂのそれぞれが調整する複数の左右風向調整部材１２の向きが同じ風向で風を吹き出す状態で、左右方向とは直交方向にて重なる。
【００９４】
この構成によれば、１対の連結部材１４ａ、１４ｂのそれぞれが調整する複数の左右風向調整部材１２の向きが同じ風向で風を吹き出す状態で、２つの操作部１７の先端部１７ａが左右方向とは直交方向である上下方向にて重なる。これにより、風向調整装置１０は、使用者の使用頻度の高い状態において最も操作部１７が操作し易く構成できる。
【００９５】
実施の形態２によれば、２つの操作部１７は、互いに異なる形状である。
【００９６】
この構成によれば、２つの操作部１７をそれぞれ有する左右の２つの連結部材１４ａ、１４ｂが誤認されない。このため、連結部材１４ａ、１４ｂの取り付け時に左右の２つの連結部材１４ａ、１４ｂの取り付け間違いが防止できる。
【００９７】
実施の形態２によれば、２つの操作部１７は、互いに異なる三角柱形状である。
【００９８】
この構成によれば、２つの操作部１７をそれぞれ有する左右の２つの連結部材１４ａ、１４ｂが２つの操作部１７の互いに異なる三角柱形状によって誤認されない。このため、連結部材１４ａ、１４ｂの取り付け時に左右の２つの連結部材１４ａ、１４ｂの取り付け間違いが防止できる。
【００９９】
＜その他＞
なお、上記実施の形態では、壁掛け型の室内機１０２について説明した。しかし、これに限られない。本発明の空気調和装置の室内機は、床置き型、天井埋込型などの室内機にも適用できる。
【０１００】
また、上述の実施の形態は、冷凍サイクル装置の例として空気調和装置について説明した。しかし、これに限定するものではない。本発明は、たとえば、冷蔵装置、冷凍装置などの他の冷凍サイクル装置にも適用できる。また、本発明は、冷凍サイクル装置だけでなく、送風機、換気装置などの送風装置にも適用できる。
【符号の説明】
【０１０１】
１  グリル、２  前面筐体、３  背面筐体、３ａ  右角部材、３ｂ  左角部材、４  据付部材、５  フィルター、６  吹出し口、７  ノズル、７ａ  突起、７ｂ  引っ掛け部、７ｃ  ドレンパン部、８  クロスフローファン、９  吸込み口、１０  風向調整装置、１１ａ  上下風向調整部材、１１ｂ  上下風向調整部材、１２  左右風向調整部材、１２ａ  突起、１２ｂ  取付穴、１３  基部、１３ａ  取付軸、１３ｂ  固定爪、１４ａ  右連結部材、１４ａ１  左側端部、１４ｂ  左連結部材、１４ｂ１  右側端部、１５  防護格子、１５ａ  格子孔、１６  係合孔、１７  操作部、１７ａ  先端部、１７ｂ  基準面部、１７ｃ  操作面部、１７ｃ１  操作面、１７ｄ  操作面部、１７ｄ１  操作面、１７ｅ  斜向部、１７ｆ  斜向部、１７ｇ  空間、１７ｈ  腕部、１７ｉ  腕部、１７ｊ  操作端部、１７ｋ  操作端部、１００  空気調和装置、１０１  室外機、１０２  室内機、１０３  ガス冷媒配管、１０４  液冷媒配管、１０５  圧縮機、１０６  四方弁、１０７  室外熱交換器、１０８  膨張弁、１０９  室内熱交換器。
【図１】
2019082370.tif 000003
【図２】
2019082370.tif 000004
【図３】
2019082370.tif 000005
【図４】
2019082370.tif 000006
【図５】
2019082370.tif 000007
【図６】
2019082370.tif 000008
【図７】
2019082370.tif 000009
【図８】
2019082370.tif 000010
【図９】
2019082370.tif 000011
【図１０】
2019082370.tif 000012
【図１１】
2019082370.tif 000013
【図１２】
2019082370.tif 000014
【図１３】
2019082370.tif 000015
【図１４】
2019082370.tif 000016
【図１５】
2019082370.tif 000017
【図１６】
2019082370.tif 000018
【図１７】
2019082370.tif 000019
【図１８】
2019082370.tif 000020
【図１９】
2019082370.tif 000021
【図２０】
2019082370.tif 000022
【図２１】
2019082370.tif 000023
【図２２】
2019082370.tif 000024
【国際調査報告】
2019082370.tif 000025
2019082370.tif 000026